(57)【特許請求の範囲】
【請求項１】
下方に開放する第１製氷小室(13)を多数備える第１製氷室(11)の下方に、前記第１製氷小室(13)の夫々を下方から対応的に閉成し得る第２製氷小室(15)を多数備え、製氷運転に際して第１製氷小室(13)を閉成する閉成位置に保持されると共に、除氷運転に際して第１製氷小室(13)を開放する開放位置に移動される第２製氷室(12)が配設され、製氷運転に際して前記両製氷小室(13,15)中に画成された空間に製氷水を供給して氷塊を形成するよう構成した自動製氷機において、
製氷運転時には連繋部材(26)を介して前記第２製氷室(12)を閉成位置に保持している回転体(25)を、製氷完了後に前記第２製氷小室(15)に氷塊が氷結している状態で、連繋部材(26)による閉成位置の保持を解除して第２製氷室(12)の開放位置への移動を許容する方向に回転させ、
前記回転体(25)が所定角度回転したことを第１検知手段(SW2)が検知した際に、給水手段(WV)により前記第２製氷室(12)の周囲への除氷水の供給を開始して該第２製氷室(12)を加熱し、
前記除氷水により加熱された第２製氷小室(15)と氷塊との氷結が解除されることで、前記第２製氷室(12)が自重により開放位置に向けて移動したことを第２検知手段(SW3)が検知したときに、前記給水手段(WV)による除氷水の供給を停止させるようにした
ことを特徴とする自動製氷機の除氷運転方法。
【発明の詳細な説明】
【０００１】
【発明の属する技術分野】
この発明は、例えば球体状や多面体状をなす氷塊群を全自動で大量に製造し得る自動製氷機において、製氷小室中で製造した氷塊群を、当該製氷小室から除氷するための除氷運転方法に関するものである。
【０００２】
【従来の技術】
前記自動製氷機として、本件出願人の出願に係る発明「自動製氷機の除氷制御方法」が存在している。この自動製氷機は、下方に開放する第１製氷小室を多数画成し、背面に蒸発器を備えた第１製氷室と、上方に開放する第２製氷小室を多数画成した第２製氷室とを基本的に備え、製氷運転に際し両製氷小室を対応的に閉成して内部に画成された球体等の氷塊を形成する空間に製氷水を供給することで、該空間に球体氷を生成するよう構成される。この構造に係る自動製氷機では、除氷運転に際しては、第２製氷室の周囲に常温の除氷水を溜めることで加熱して第２製氷小室と球体氷との氷結を解除した後、第１製氷室に対して第２製氷室を傾動開放し、次いで第１製氷室を加熱して第１製氷小室と球体氷との氷結を解除することで、第１および第２の製氷小室中に生成した球体氷群を剥離落下させるよう構成されている。
【０００３】
【発明が解決しようとする課題】
前記自動製氷機では、第２製氷室に配設した温度センサが、第２製氷小室と球体氷との氷結が解除されると予想される除氷完了温度を検知した際に、該第２製氷室を傾動開放するよう設定されている。この場合に、製氷−除氷サイクル毎に開閉動する第２製氷室と共に、前記温度センサと製氷機本体の固定位置に配設される電気制御回路とを接続するリード線も変動を繰返すため、該リード線が切断するおそれがある。また、第２製氷室を加熱するための除氷水により、前記温度センサが濡れることがあり、長年の使用により該温度センサの絶縁材が経年劣化を来たしてクラックが入り、その結果として正常な動作ができなくなる事態を招くことがある。
【０００４】
更に、前記温度センサは第２製氷室に対する配設箇所のみの温度を検知しているため、該温度センサが除氷完了温度を検知したにも拘らず、複数の球体氷の内には第２製氷小室との氷結が完全に解除されていないものがある場合がある。そして、この状態で第２製氷室を傾動開放すると、第２製氷小室に氷結している球体氷の下側を下方に引張るために半分に割れてしまい、不良氷が発生する問題が指摘される。
【０００５】
【発明の目的】
この発明は、前述した従来の技術に内在している前記課題に鑑み、これを好適に解決するべく提案されたものであって、除氷運転に際して、両製氷小室に生成した球体状や多面体状等の氷塊が割れることなく確実に除氷し得る自動製氷機の除氷運転方法を提供することを目的とする。
【０００６】
【課題を解決するための手段】
前述した課題を克服し、所期の目的を好適に達成するため本発明に係る自動製氷機の除氷運転方法は、
下方に開放する第１製氷小室を多数備える第１製氷室の下方に、前記第１製氷小室の夫々を下方から対応的に閉成し得る第２製氷小室を多数備え、製氷運転に際して第１製氷小室を閉成する閉成位置に保持されると共に、除氷運転に際して第１製氷小室を開放する開放位置に移動される第２製氷室が配設され、製氷運転に際して前記両製氷小室中に画成された空間に製氷水を供給して氷塊を形成するよう構成した自動製氷機において、
製氷運転時には連繋部材を介して前記第２製氷室を閉成位置に保持している回転体を、製氷完了後に前記第２製氷小室に氷塊が氷結している状態で、連繋部材による閉成位置の保持を解除して第２製氷室の開放位置への移動を許容する方向に回転させ、
前記回転体が所定角度回転したことを第１検知手段が検知した際に、給水手段により前記第２製氷室の周囲への除氷水の供給を開始して該第２製氷室を加熱し、
前記除氷水により加熱された第２製氷小室と氷塊との氷結が解除されることで、前記第２製氷室が自重により開放位置に向けて移動したことを第２検知手段が検知したときに、前記給水手段による除氷水の供給を停止させるようにしたことを特徴とする。
【０００７】
【発明の実施の形態】
次に、本発明に係る自動製氷機の除氷運転方法につき、好適な実施例を挙げて、添付図面を参照しながら説明する。なお、実施例の自動製氷機では球体氷を製造する構成で説明するが、製造する氷塊の形状は球体状に限定されるものでなく、ダイヤカット状の多面体氷等、各種形状が可能である。
【０００８】
図１に示す自動製氷機では、所要直径をなす多数の球体氷を製造する製氷室１０が、水平に配設した第１製氷室１１と、この第１製氷室１１を下方から開閉可能に閉成する第２製氷室１２とから基本的に構成される。すなわち、製氷機筐体(図示せず)の内部上方に配設された取付枠１６に、熱伝導率の良好な金属を材質とする矩形状の第１製氷室１１が水平姿勢で垂設され、半球状凹部としての第１製氷小室１３が、この第１製氷室１１に所要の整列パターンで下向きで多数凹設されている。また第１製氷室１１の上面には、圧縮機ＣＭ、凝縮器、ファンモータＦＭ等からなる冷凍系から導出した蒸発器１４が蛇行状に密着固定され、当該冷凍系の運転により蒸発器１４における気化冷媒の熱交換が促進されて、第１製氷室１１が氷点下にまで冷却されるようになっている。
【０００９】
前記第１製氷室１１の直下には、銅の如き熱良導性の金属を材質とする第２製氷室１２が後述の如く傾動可能に配設され、製氷運転に際して、該第１製氷室１１を下方から閉成すると共に、除氷運転に際して、該第１製氷室１１を開放し得るよう構成される。この第２製氷室１２には、前記第１製氷室１１に凹設した第１製氷小室１３と対応して、同じく半球状凹部からなる第２製氷小室１５が上向きに所要の整列パターンで多数凹設されている。従って、第１製氷室１１に対し第２製氷室１２を下方から閉成すると、両製氷小室１３,１５が相互に対応して各小室内に所要直径の球状空間が画成される。
【００１０】
前記第２製氷室１２は、前述の如く銅等の熱良導金属を材質とするブロック体として構成され、各第２製氷小室１５に製氷水を噴射供給するための水皿１７が、当該第２製氷室１２の外底部に一体的に固定されている。この第２製氷室１２における第２製氷小室１５の形成面と反対側の面(水皿１７と対向する面)には、相互に隣接する各第２製氷小室１５の間に溝１８が形成されている。すなわち、各第２製氷小室１５は底面において溝１８で囲繞されており、後述する除氷運転に際し、給水手段としての給水弁ＷＶを介して供給される常温の水道水が溝１８と水皿表面との間に充満し、第２製氷小室１５の加熱促進を図るよう構成される。
【００１１】
前記水皿１７は、その後端部が直角に立上がって後部１７ａが形成され、この後部１７ａの開放端において前記取付枠１６の所定部位に、枢軸１９により傾動旋回可能に枢支され、後述の開閉用モータＡＭによって第２製氷室１２と共に回動される。そして、水皿１７を図において時計方向に回動すれば、図５に示す如く、該水皿１７に一体固定した第２製氷室１２は第１製氷小室１３を開放し、また反時計方向に回動すれば、図１に示す如く、第２製氷室１２は第１製氷小室１３を閉成するよう構成される。水皿１７には、各第２製氷小室１５と連通する噴水孔２０が対応的に穿設され、これら噴水孔２０に製氷水を供給する分配管２１が水皿１７の裏面に蛇行配置されている。また水皿１７の下方には、所定量の製氷水が貯溜される製氷水タンク２２が一体的に設けられており、該タンク２２に付設した給水ポンプＰＭを介して製氷水が前記分配管２１に供給されるよう構成される。すなわち、製氷運転に際して製氷水タンク２２から給水ポンプＰＭを介して圧送される製氷水は、水皿１７に穿設した前記各噴水孔２０を介して、各第１製氷小室１３と第２製氷小室１５とで画成された氷形成用空間中に噴射供給される。そして、該氷形成用空間中で氷結するに至らなかった製氷水(以下「未氷結水」という)は、水皿１７の各噴水孔２０に隣接して各第２製氷小室１５と連通するよう穿設された戻り孔２３を介して製氷水タンク２２に帰還するよう構成されている。
【００１２】
前記第２製氷室１２と共に水皿１７を傾動させる正逆回転可能な開閉用モータＡＭは減速機を備え、その出力軸２４に回転体としての駆動アーム２５が半径方向に延出するよう固定され、該駆動アーム２５の先端と水皿１７の前方端部(枢支側とは反対の端部)との間に、連繋部材としてのコイルスプリング２６が弾力的に係着されている。そして、製氷運転の際には、図１に示す如く、水皿１７は、第２製氷室１２により第１製氷室１１を下方から閉成する水平な閉成位置に、前記コイルスプリング２６の弾力により保持されるよう構成される。また駆動アーム２５には、コイルスプリング２６の係着位置から離間する部位に、出力軸２４に対して半径方向に延出するレバー片２５ａが設けてある。前記取付枠１６における駆動アーム２５およびレバー片２５ａの移動軌跡上に切換スイッチＳＷ1が配設され、除氷運転に伴ない正転方向(第２製氷室１２の開放位置への移動を許容する方向)に回転する開閉用モータＡＭの運転により回転(図１において反時計方向への正転回転)するレバー片２５ａが切換スイッチＳＷ1を逆転側に切換えたときに、該モータＡＭを停止させ、前記水皿１７および第２製氷室１２を傾動する開放位置に停止保持するよう設定される。また、このとき冷凍系のホットガス弁ＨＶを切り換えて、前記蒸発器１４にホットガスを流通させるようになっている(図８参照)。
【００１３】
前記水皿１７の前後方向と交差する左右方向の両側には、直角に立上がる側部１７ｂが夫々形成されると共に、該水皿１７の前方には、側部１７ｂより所定寸法だけ低く設定した堰止め部１７ｃが配設され、この堰止め部１７ｃの左右両端部は両側部１７ｂ,１７ｂに密着されている。これにより水皿１７の内部表面には、両側部１７ｂ,１７ｂ、堰止め部１７ｃおよび前記後部１７ａで囲繞された水溜部２７が形成される。そして該水溜部２７に貯溜された後述する除氷水は、前記第２製氷室１２の周囲に画成した前記溝１８中に充満し、各第２製氷小室１５を加熱するよう構成される。また水皿１７には、水溜部２７内の所定位置に排水孔２８が穿設されており、水溜部２７に貯溜された除氷水の一部は、該排水孔２８から製氷水タンク２２に流下し、他の除氷水は堰止め部１７ｃの上端からオーバーフローして、水皿１７の前方側よりタンク２２に流入するようにしてある。なお、製氷水タンク２２への給水は、外部水道系に接続している給水管２９の給水弁ＷＶを開放することにより行なわれる。前記製氷水タンク２２にはオーバーフローパイプ３４が配設され、除氷運転に際して水溜部２７からタンク２２に流入して所定水位を越えた除氷水を、該パイプ３４を介して機外へ排出するようにしてある。
【００１４】
前記第１製氷室１１の所定位置に、製氷完了検知手段および第１製氷室１１の除氷完了検知手段として機能する温度センサＴｈが配設されている。そして、この温度センサＴｈが、予じめ設定された製氷完了温度を検知した際に、製氷運転から除氷運転に移行すると共に、該温度センサＴｈが、予じめ設定された除氷完了温度を検知した際に、除氷運転から製氷運転に移行するよう設定される。
【００１５】
前記取付枠１６には、前記駆動アーム２５の回動軌跡上に臨む位置に第１検知手段としての除氷水開始スイッチＳＷ2が配設され、除氷運転に伴なう前記開閉用モータＡＭの運転により駆動アーム２５が前記コイルスプリング２６を弛ませる正転方向(コイルスプリング２６による第２製氷室１２の閉成位置の保持を解除する方向)に所定角度回転した際に、該アーム２５により除氷水開始スイッチＳＷ2がＯＮ作動されるよう構成される。そして、除氷水開始スイッチＳＷ2のＯＮ作動により、前記開閉用モータＡＭを停止させると共に、前記給水弁ＷＶを開放して前記水溜部２７への除氷水の供給を開始するように設定してある。
【００１６】
前記取付枠１６における水皿１７の枢支側に近接する位置に、第２製氷室１２の除氷完了を検知する第２検知手段としての除氷水終了スイッチＳＷ3が配設され、該スイッチＳＷ3は、水皿１７の前記側部１７ｂに突設された作動片３０によりＯＮ−ＯＦＦ作動されるようになっている。すなわち、製氷運転に際して水皿１７が閉成位置に保持されている状態では、図１に示す如く、前記作動片３０が除氷水終了スイッチＳＷ3に当接してＯＮ作動させると共に、後述するように第２製氷室１２の各第２製氷小室１５と球体氷との氷結が解除されることにより、図４に示す如く、水皿１７および第２製氷室１２等が自重により下側(開放位置)に向けて傾動した際に、前記作動片３０が除氷水終了スイッチＳＷ3から離間してＯＦＦ作動するよう構成される。そして、除氷水終了スイッチＳＷ3がＯＦＦ作動されたときに、該スイッチＳＷ3は除氷完了の検知状態となり、前記給水弁ＷＶを閉成して前記水溜部２７への除氷水の供給を停止すると共に、前記開閉用モータＡＭの運転を再開して、水皿１７を開放位置に向けて傾動させるよう設定されている。
【００１７】
前記製氷水タンク２２の下方には、製氷残水等を受けて機外へ排出するための排水皿３１が配設され、該排水皿３１の上方に、軸３２に固定した氷案内板３３が臨んでいる。この氷案内板３３は、製氷運転中においては、図１に示す如く、前記水皿１７や製氷水タンク２２と干渉しない退避位置に位置決めされている。また除氷運転の際には、開放位置に向けて傾動する製氷水タンク２２に突設した押片２２ａが、氷案内板３３に設けた反転レバー３３ａを押すことにより該氷案内板３３が軸３２を中心として反時計方向に回動されて、この氷案内板３３は傾動状態(開放位置)にある第２製氷室１２の上面に倒れ込み、各第２製氷小室１５を塞ぐよう構成される(図５参照)。すなわち、第１製氷室１１から落下する球体氷を、この氷案内板３３において滑落させて貯氷庫(図示せず)へ円滑に案内するようになっている。
【００１８】
なお、前記水皿１７が閉成位置に復帰する際には、氷案内板３３は閉成位置に向けて傾動する該水皿１７により押されて時計方向に旋回し、図１に示す退避位置に復帰するよう構成される。
【００１９】
【実施例の作用】
次に、実施例に係る自動製氷機の除氷運転方法の作用につき、以下説明する。製氷運転に際し、図１に示す如く第２製氷室１２は、第１製氷室１１を下方から閉成して、各第１製氷小室１３と各第２製氷小室１５とを対応させ、内部に氷形成用空間を画成している。この状態で製氷運転が開始されると、第１製氷室１１に設けた蒸発器１４に冷媒が循環供給され、当該第１製氷室１１の冷却がなされると共に、前記製氷水タンク２２からの製氷水は分配管２１にポンプ圧送され、該分配管２１の各噴水孔２０を介して両製氷小室１３,１５に画成される球状空間中に噴射される。
【００２０】
噴射された製氷水は、第１製氷小室１３の内面に接触して冷却され、下方の第２製氷小室１５を潤した後、この未氷結水は、水皿１７に穿設した前記戻り孔２３を介して、製氷水タンク２２に戻されて再度の循環に供される。そして製氷水の循環が反復される内に、タンク２２中に貯溜される製氷水全体の温度が次第に低下すると共に、第２製氷小室１２の温度も同様に次第に低下する。そして、先ず第１製氷小室１３の内壁面で製氷水の一部が凍結して氷層が形成され始め、未氷結水は戻り孔２３からタンク２２に帰還する運転を重ねる間に、前記氷層の成長が更に進行して、最終的に両製氷小室１３,１５に形成される球状空間中に球体氷が生成される。
【００２１】
図２に示す如く、球体氷の製造が完了(製氷完了)し、前記第１製氷室１１の温度が製氷完了温度となったことを、前記温度センサＴｈが検知すると、給水ポンプＰＭが停止制御されて、製氷水の循環供給を停止する(図８のタイミングチャート参照)。なお、冷凍系を構成する前記圧縮機ＣＭおよびファンモータＦＭへの通電は継続されるので、蒸発器１４への冷媒の供給は続行される。また、前記開閉用モータＡＭの運転が開始され、前記駆動アーム２５は正転方向に回動し、該アーム２５が前記除氷水開始スイッチＳＷ2をＯＮ作動すると、開閉用モータＡＭの運転が停止される。このとき、前記給水弁ＷＶが開放され、これにより外部水道系に接続する給水管２９から水皿１７の表面に画成してある前記水溜部２７に除氷水(常温の水道水)の供給が開始される。また駆動アーム２５の回動により前記コイルスプリング２６は弛み、該スプリング２６による水皿１７および第２製氷室１２を閉成位置に保持する力は解除される。しかし、この時点では第２製氷小室１５と球体氷とは氷結状態を保持しているので、水皿１７は閉成位置に臨んだままとなっている。なお、除氷水開始スイッチＳＷ2のＯＮ作動により、前記圧縮機ＣＭおよびファンモータＦＭへの通電が停止され、前記第１製氷室１１は冷却されなくなる。
【００２２】
前記給水弁ＷＶを介して水溜部２７に供給される水道水は、前記排水孔２８から製氷水タンク２２に流下する量に比べ多量であるので、該水溜部２７での水位は次第に上昇し、遂には水皿１７の堰止め部１７ｃからオーバーフローするに至る。オーバーフローする際の水溜部２７の水面レベルを、第２製氷室１２の上端近傍に到来するよう設定しておくことにより、常温の水道水は第２製氷室１２を主として加熱することができる。なお、堰止め部１７ｃからのオーバーフロー水は、水皿１７の先端から製氷水タンク２２内に流下する。この水皿先端部から流入する水と、前記排水孔２８から流下する水とによりタンク２２内の水位は次第に上昇し、前記オーバーフローパイプ３４から余分な水は排水皿３１に流下した後に機外へ排出される。
【００２３】
前記第２製氷室１２は、水溜部２７に貯溜される除氷水で加熱されて温度上昇し、前記第２製氷小室１５の壁面と球体氷との氷結力は徐々に低下する。なお、第２製氷室１２と接触する第１製氷室１１にも除氷水の熱は伝わるが、この熱は僅かであり、第１製氷小室１３の壁面と球体氷との氷結力は低下しない。
【００２４】
前記第２製氷小室１５の壁面と球体氷との氷結力が、第２製氷室１２、水皿１７および製氷水タンク２２等からなる水皿組の自重を支えられなくなるまで低下すると、該水皿組は弛んでいた前記コイルスプリング２６の弾力とバランスする位置まで自重によって下側に傾動する。これにより図４に示す如く、前記作動片３０が除氷水終了スイッチＳＷ3から離間してＯＦＦ状態となり、第２製氷室１２からの球体氷の剥離(除氷完了)を検知する。このとき、前記給水弁ＷＶを閉成すると共に、開閉用モータＡＭの運転を再開し、前記駆動アーム２５が正転方向へ回動することで水皿１７および第２製氷室１２は開放位置に向けて傾動を開始する。
【００２５】
すなわち、第２製氷室１２と球体氷との氷結が解除されたことを機械的に検知して、該第２製氷室１２を開放位置に向けて傾動するよう構成したから、第２製氷小室１５に球体氷が氷結したまま第２製氷室１２を開放させることはなく、前記駆動アーム２５や開閉用モータＡＭに過大な負荷が加わったり、球体氷が割れて不良氷が発生するのを防止し得る。また、従来のように第２製氷室１２に温度センサを配設する必要はないから、該センサのリード線が切断したり絶縁劣化に起因するトラブルは発生しない。
【００２６】
前記水皿１７の傾動途中において、前記軸３２に一体的に配設された反転レバー３３ａを製氷水タンク２２の押片２２ａが押すことにより前記氷案内板３３が反転し、水皿１７に寄りかかった状態で傾動する。水皿１７が最大限に傾動したタイミングをもって、図５に示すように、前記レバー片２５ａが切換スイッチＳＷ1を逆転側に切換えると、これにより開閉用モータＡＭは停止して水皿１７の傾動を停止させる。なお、このとき氷案内板３３は、先に述べた如く、第２製氷室１２の上面を覆って氷塊滑落用の円滑面を提供している。
【００２７】
前記切換スイッチＳＷ1の切換えにより、前記圧縮機ＣＭの通電が再開されると共にホットガス弁ＨＶが開放して蒸発器１４にホットガスが供給され、第１製氷室１１の加熱がなされて、第１製氷小室１３の内面と球体氷との氷結面の融解を開始する。そして、第１製氷小室１３が或る程度加温されると、図５に示す如く、小室壁面と球体氷との氷結が解除されて自重落下し、傾動待機している前記氷案内板３３の表面に落着し貯氷庫(図示せず)に滑落回収される。
【００２８】
このように、球体氷が全て第１製氷小室１３から離脱すると、第１製氷室１１は蒸発器１４に循環しているホットガスにより一挙に温度上昇する。そして、前記温度センサＴｈが除氷完了温度を検知すると、前記開閉用モータＡＭが逆転方向に運転されて駆動アーム２５は逆転方向(図６の時計方向)に回動される。従って該駆動アーム２５と水皿１７との間に弾力的に係着したコイルスプリング２６により、水皿組は反時計方向に回動される。また、第１製氷室１１の除氷完了検知により前記給水弁ＷＶが開放され、水皿１７上に供給されて前記水溜部２７に貯溜する水道水は、前記排水孔２８を介して製氷水タンク２２に流入し、水位の低下したタンク２２に新たな製氷水として供給される。
【００２９】
前記逆転方向に回動する駆動アーム２５により反時計方向に回動される水皿組が閉成位置に復帰されることによって、第１製氷室１１は再び第２製氷室１２で下方から閉成される(図７参照)。また、駆動アーム２５により前記切換スイッチＳＷ1が正転側に切換えられると、開閉用モータＡＭが停止されると共に、給水弁ＷＶおよびホットガス弁ＨＶが閉成して、水道水およびホットガスの供給が停止される。そして、初期状態に復帰して製氷運転が再開され、前述した動作を繰り返す。なお、駆動アーム２５の逆転方向への回動途中に、前記除氷水開始スイッチＳＷ2は該アーム２５によりＯＮ−ＯＦＦ作動されるが、このときの信号はキャンセルされ、前記給水弁ＷＶが開放されることはない。更に、前記除氷水終了スイッチＳＷ3も前記作動片３０によりＯＮ作動され、次のサイクルの待機状態となる。
【００３０】
【発明の効果】
以上に述べた如く、本発明に係る自動製氷機の除氷運転方法によれば、第２製氷小室に氷塊が氷結している第２製氷室を開放位置への移動を許容した状態で、除氷水による第２製氷室の加熱を開始し、第２製氷小室と氷塊との氷結が解除されて第２製氷室が自重により開放位置に向けて移動したことを検知したときに除氷水の供給を停止するようにしたので、第２製氷小室に氷塊が氷結したまま第２製氷室を開放させることはなく、第２製氷室の移動手段に過大な負荷が加わったり、氷塊が割れたりして不良氷が発生するを防止し得る。また、閉成位置と開放位置との間を移動する第２製氷室に温度センサを配設する必要はないから、該センサに起因するトラブルも発生しない。
【図面の簡単な説明】
【図１】  本発明の実施例に係る自動製氷機の製氷機構を、第１製氷室に対し第２製氷室を閉成して製氷運転を開始した状態を示す概略縦断面図である。
【図２】  実施例の自動製氷機の製氷機構を、製氷が完了して両製氷小室中に略中実な球体氷が生成された状態を示す概略縦断面図である。
【図３】  実施例の自動製氷機の製氷機構を、製氷が完了して駆動アームの回動により除氷水開始スイッチがＯＮ作動して給水弁が開放し、水溜部に除氷水が貯溜される状態を示す概略縦断面図である。
【図４】  実施例の自動製氷機の製氷機構を、第２製氷室と球体氷との氷結が解除されることで第２製氷室が第１製氷室から開放する状態を示す概略縦断面図である。
【図５】  実施例の自動製氷機の製氷機構を、開放位置に停止した第２製氷室の上面に氷案内板を倒れ込ませて各第２製氷小室を塞いだ状態で第１製氷室から球体氷が剥離落下する状態を示す概略縦断面図である。
【図６】  実施例の自動製氷機の製氷機構を、除氷が完了して第２製氷室が第１製氷室を閉成する方向に傾動を開始する状態を示す概略縦断面図である。
【図７】  実施例の自動製氷機の製氷機構を、第２製氷室が閉成位置に保持された状態を示す概略縦断面図である。
【図８】  実施例の自動製氷機を運転した際のタイミングチャート図である。
【符号の説明】
１１ 第１製氷室，１２ 第２製氷室，１３ 第１製氷小室
１５ 第２製氷小室，２５ 駆動アーム(回転体)
２６ コイルスプリング(連繋部材)，ＷＶ 給水弁(給水手段)
ＳＷ2 除氷水開始スイッチ(第１検知手段)
ＳＷ3 除氷水終了スイッチ(第２検知手段)
【図１】
0003993462.tif 000002
【図２】
0003993462.tif 000003
【図３】
0003993462.tif 000004
【図４】
0003993462.tif 000005
【図５】
0003993462.tif 000006
【図６】
0003993462.tif 000007
【図７】
0003993462.tif 000008
【図８】
0003993462.tif 000009